(57)【要約】【課題】  大小の大きさ等の、種類の異なる複数のカードを搭載して使用でき、かつ要求されるカード挿入口の配置条件に対応することができるカードコネクタを得る。【解決手段】  第１のカードコネクタと、前記第１のカードコネクタと一体形成された設置脚台と、前記第１のカードコネクタが形成される面と対向する前記設置脚台面に配置された第２のカードコネクタとを少なくとも備え、前記第１のカードコネクタのカード挿入口と前記第２のカードコネクタのカード挿入口とが異なる方向に向いており、前記設置脚台と前記第２のカードコネクトの間には空間を形成していることを特徴とする。【選択図】  図１
2005173943.tif 000002
【特許請求の範囲】
【請求項１】
第１のカードコネクタと、
前記第１のカードコネクタと一体形成された設置脚台と、
前記第１のカードコネクタが形成される面と対向する前記設置脚台面に配置された第２のカードコネクタとを少なくとも備え、
前記第１のカードコネクタのカード挿入口と前記第２のカードコネクタのカード挿入口とが異なる方向に向いており、
前記設置脚台と前記第２のカードコネクトの間には空間を形成していることを特徴とするカードコネクタ。
【請求項２】
第１のカードコネクタと、
前記第１のカードコネクタと別体に形成され、固着手段により前記第１のカードコネクタに固着された設置脚台と、
前記第１のカードコネクタが形成される面と対向する前記設置脚台面に配置された第２のカードコネクタとを少なくとも備え、
前記第１のカードコネクタのカード挿入口と前記第２のカードコネクタのカード挿入口とが異なる方向に向いており、
前記設置脚台と前記第２のカードコネクトの間には空間を形成していることを特徴とするカードコネクタ。
【請求項３】
前記第１のカードコネクタのカード挿入口と前記第２のカードコネクタのカード挿入口とがほぼ直交する方向に位置されるように配置されることを特徴とする請求項１または２記載のカードコネクタ。
【発明の詳細な説明】
【技術分野】
【０００１】
本発明は、携帯電話機、電話機、ＰＤＡ（personal  digital  assistance）、ゲーム機、ノートパソコン、携帯型オーディオ、テレビ、ビデオ、デジタルカメラ等や情報端末機器等の電子機器のカードコネクタに係わるもので、特に、複数のカードを搭載して使用できるカードコネクタに関するものである。
【背景技術】
【０００２】
近年、携帯電話機、電話機、ＰＤＡ（personal  digital  assistance）、ゲーム機、ノートパソコン、携帯型オーディオ、テレビ、ビデオ、デジタルカメラや、情報端末機器等の電子機器においては、ＣＰＵやメモリ用のＩＣチップと呼ばれるＩＣ部品が組込まれたＩＣカードやＰＣカード、ＳＤカード、ＳＩＭカード等の利用が非常に増大し、ＩＣカードやＰＣカード、ＳＤカードやＳＩＭカード等の小型のメモリカードを挿入するカードコネクタが広く求められている。特に、カードコネクタとして、コネクタ全体の形状を薄くして小型化を図り、カードの挿入と抜き出しに必要な十分な強度を有し、挿入されたカードを容易に放出することができ、大小の大きさの異なる２種類のカードを搭載して利用できるカードコネクタが知られている（例えば、特許文献１参照。）。
【０００３】
【特許文献１】特開２００１−３０７８０１号公報（第３〜４頁、図１〜図５）
【発明の開示】
【発明が解決しようとする課題】
【０００４】
しかしながら、従来のカードコネクタにおいては、ＩＣカードやＰＣカードまたはＳＤカードやＳＩＭカード等のカードを挿入して用いる際に、厚さや幅等の大小の大きさの異なるカードを同一のカードコネクタにおいて使用する場合があるので、カードに何等かの細工を施すことが必要である。さらに、従来のこのようなカードコネクタにおいては、各カードの寸法に合致したカード挿入口がカード装着部の開口として形成されている。この場合には、使用機器の小型化と内部プリント基板の実装スペースが制限されること等の理由によって、１つのカードコネクタで大小の大きさの異なる、或いは種類の異なる複数のカードの装着が要求されるようになってきている。
【０００５】
従来におけるこのようなカードコネクタは、上記公開公報に示されるように、ＳＤカードのような厚い大きなカードと、ＳＩＭカードのような薄い小さなカードとを、プリント基板に対して引出し方向を互いに直交する方向に配置した構造に形成されている。
【０００６】
しかしながら、上記の公報記載のカードコネクタは、上下カードコネクタが一体型であるために、顧客の求める電子機器における取付け位置が限定されてしまい、電子機器におけるカード挿入口の配置位置に係る条件等の、顧客の要求する条件を十分に満足させることが困難である等の問題点が見られる。
【０００７】
従って、本発明の目的は、このような従来における問題点を解決することを課題とするもので、大小の大きさや、種類等の異なる複数のカードを搭載して使用でき、要求されるカード挿入口の配置条件に対応することができるカードコネクタを提供することにある。
【課題を解決するための手段】
【０００８】
上述の目的を達成するために、本発明のカードコネクタは、第１のカードコネクタと、前記第１のカードコネクタと一体形成された設置脚台と、前記第１のカードコネクタが形成される面と対向する前記設置脚台面に配置された第２のカードコネクタとを少なくとも備え、前記第１のカードコネクタのカード挿入口と前記第２のカードコネクタのカード挿入口とが異なる方向に向いており、前記設置脚台と前記第２のカードコネクトの間には空間を形成していることを特徴とする。
【０００９】
これによって、本発明のカードコネクタは、大小の大きさや、種類等の異なる複数のカードを搭載して使用することができ、電子機器における要求されるカード挿入口の配置に対応することができる。
【発明の効果】
【００１０】
本発明のカードコネクタは、第１のカードコネクタである上側のカードコネクタを設置脚台上に配置して、第２のカードコネクタである下側のカードコネクタに対して第１のカードコネクタである上側のカードコネクタを所要位置に滑動可能に設置し、電子機器におけるカード挿入口の配置に対応することができる。
【００１１】
本発明のその他の目的や特徴および利点は、添付図面に示される本発明の実施形態についての以下の詳細な説明から明らかである。
【発明を実施するための最良の形態】
【００１２】
本発明のカードコネクタは、カード挿入口が異なる方向を向いた複数のカードコネクタを、設置脚台を介して上下に配置し、第１のカードコネクタである上側のカードコネクタが設置脚台上に形成され、第２のカードコネクタである下側のカードコネクタに対して所要位置に移動可能に設置することができるようにして、いずれの電子機器においても対応できるように配置することができ、大きさや種類の異なる複数のカードを搭載して使用することができる。
【実施例】
【００１３】
図１乃至図８は、本発明のカードコネクタの一実施例を示す図で、図１は、本発明のカードコネクタを、上側カードコネクタを第１の位置で示す斜視図、図２は、上側カードコネクタを第２の位置で示す図１と同様な斜視図で、図３は、その平面図、図４は、底面図で、図５は、本発明のカードコネクタの正面図、図６は、右側面図で、図７は、カードを挿入した時の正面図、図８は、カードを挿入した時の平面図である。
【００１４】
図１乃至図６に示されるように、本発明のカードコネクタ１は、ＳＤカードのような第１のカードＡと、ＳＩＭカードのような第２のカードＢとを共通して使用することができるものである。本発明において使用されるこれらカードＡ、Ｂを、以下に、単に、「第１のカード」、「第２のカード」と言うものとする。
【００１５】
図示されるように、本発明におけるカードコネクタ１は、下側カードコネクタ２と、上側カードコネクタ３と、これら下側カードコネクタ２と上側カードコネクタ３との間に配置されて上側カードコネクタ３を所要位置に配置できるように移動可能に設置するための設置脚台４とから主に構成されている。
【００１６】
本発明のカードコネクタ１は、カード挿入口５、６が異なる方向をそれぞれ向いた２つのカードコネクタとしての、下側カードコネクタ２と上側カードコネクタ３が、設置脚台４を介して上下に配置されている。また、上側カードコネクタ３を設置脚台４上に設けて下側カードコネクタ２に対して所要位置に移動可能に設置することができるように構成されている。
【００１７】
このような、本発明のカードコネクタ１は、下側カードコネクタ２と上側カードコネクタ３の、２つのカードコネクタのカード挿入口５、６が、互いにほぼ直交する方向に、しかも異なる方向を向くように配置され、上側カードコネクタ３が、設置脚台４上に設けられており、この設置脚台４によって上側カードコネクタ３が下側カードコネクタ２に対して移動可能に配置される。また、設置脚台４は、上側カードコネクタ３の前後端に設けられた脚部７、８と、これら脚部７、８を連接する台板９とを有しており、台板９が上側カードコネクタ３のコネクタ本体１５と一体的に形成して製作されている。また、必要に応じては、上側カードコネクタ３と設置脚台４とを別体として製作して、ねじのような固着部材によって取り付けたり、あるいはまた接着剤で接着して、設置脚台４の上に上側カードコネクタ３を取り付けるようにすることが出来る。
【００１８】
さらに、本発明のカードコネクタ１において、設置脚台４の脚部７、８は、台板９の前後端に下方に垂下するように形成されており、この設置脚台４によって下側カードコネクタ２に対して上側カードコネクタ３が当接すること無く、間にスペースを置いて設置されるように構成されている。
【００１９】
本発明のこのカードコネクタ１において、下側カードコネクタ２と上側カードコネクタ３は、カード挿入口５、６が互いに直交する方向に位置するようにほぼ直角に配置されている。
【００２０】
下側カードコネクタ２は、コネクタ本体１１と、カバー部材１２と、複数個のコンタクト１４とから構成されている。また、コネクタ本体１１にカバー部材１２を組み合わせて偏平な薄いハウジング形状のケースとして形成され、ＳＤカードのような第１のカードＡが挿入されるカード挿入口５が設けられている。
【００２１】
上側カードコネクタ３は、コネクタ本体１５と、カバー部材１６と、複数個のコンタクト１７とから構成されている。また、コネクタ本体１５にカバー部材１６を組み合わせて偏平な薄いハウジング形状のケースとして形成され、ＳＩＭカードのような第２のカードＢが挿入されるカード装着口６が設けられている。
【００２２】
このような本発明のカードコネクタ１は、例えば情報端末機器等の各種の電子機器に装着して用いられるように構成されている。
【００２３】
また、本発明のカードコネクタ１において、下側カードコネクタ２は、コネクタ本体１１の一方の側が開放されて、所要の枠形形状のカード挿入口５が形成されている。カード挿入口５は、第１のカードＡを挿入して使用できるように内部構造が偏平な断面形状に形成されている。
【００２４】
また、同様に、上側カードコネクタ３は、コネクタ本体１５の一方の側が開放されていて、所要の枠形形状に形成され、カード挿入口６が設けられており、第２のカードＢを挿入して使用できるように偏平な断面形状に内部構造が形成されている。そして、これら下側カードコネクタ２と上側カードコネクタ３は、カード挿入口５、６が直交する、異なった方向に位置するようにそれぞれ構成されて配置されている。
【００２５】
さらに、本発明のカードコネクタ１において、上側カードコネクタ３が一体的に形成、または別体として取り付けられる設置脚台４は、脚付きの台の形を成しており、２つの脚部７、８と、これら脚部７、８間を連結する台板９とから、脚付きの台構造に形成されている。さらに、下側カードコネクタ２に対して上側カードコネクタ３が僅かな隙間を介して何等当接すること無く支持されるように構成されている。このような設置脚台４は、「ゲタ」または「スタンドオフ」と呼ばれる脚付きの支持台を形成しており、台板９の上に上側カードコネクタ３のコネクタ本体１１の底壁３４と一体的に形成されたり、或いはコネクタ本体１１の底壁３４と別体に作られて、ねじのような固着部材や、適宜な接着剤よって接着して取り付けられるように構成することができる。
【００２６】
従って、後述するように、第１のカードＡの場合には、下側カードコネクタ２が用いられて、両側の側壁２１、２２が案内路として作用し、側壁２１、２２間に第１のカードＡが挿入されて位置されるようになる。また、第２のカードＢの場合には、上側カードコネクタ３が用いられて直交する方向に第２のカードＢが挿入されて両側の側壁３１、３２が同様に案内路として作用して、側壁３１、３２間に第２のカードＢが挿入されて位置されるようになる。
【００２７】
これによって、下側カードコネクタ２のカード挿入口５と、これに続くカード装着部分が第１のカードＡ用として使用されて第１のカードＡが挿入されると共に、上側カードコネクタ３のカード挿入口６と、これに続くカード装着部分が第２のカードＢ用として使用されて第２のカードＢが挿入されるように、下側カードコネクタ２と上側カードコネクタ３とが所要の断面形状に形成されている。
【００２８】
このように、第１のカードＡの場合に、下側カードコネクタ２が用いられて、このカード挿入口５のところに第１のカードＡが挿入されて、第１のカードＡの側面が案内路の側壁２１、２２に接触されて係合された状態に位置されるようになる。
【００２９】
また、第２のカードＢを挿入する場合には、上側カードコネクタ３が用いられ、第１のカードＡの挿入方向と直交する方向に第２のカードＢが挿入される。第２のカードＢの挿入時に、第２のカードＢは、上側カードコネクタ３のカード挿入口６から両側の側壁３１、３２に沿って挿入されてカード装着部分に位置されるようになる。
【００３０】
さらに、本発明のカードコネクタ１において、下側カードコネクタ２のコネクタ本体１１は、カード挿入口５の反対側が端壁２３によって閉鎖されていて、この端壁２３に沿って複数個のコンタクト１４がほぼ平行に配列されている。これらコンタクト１４は、下側カードコネクタ２の内部側における端部が自由端部となっていて、円弧状に形成されており、挿入された第１のカードＡの接触パッド部と接触して接続されるように接触部１４Ａが形成されている。また、コンタクト１４の他方の端部は、折曲されていて端子部１４Ｃが形成されており、本発明のカードコネクタ１が取り付けられる外部の情報端末機器や電子機器等のプリント回路の端子と接続されるようになる。
【００３１】
同じように、上側カードコネクタ３のコネクタ本体１５は、カード挿入口６の反対側が端壁３３によって閉鎖されていて、この端壁３３に沿って複数個のコンタクト１７がほぼ平行に配列されている。これらコンタクト１７は、上側カードコネクタ３の内部側における端部が自由端部となっていて、円弧状に形成されており、第２のカードＢの接触パッド部と接触して接続されるように接触部１７Ａが形成されている。また、コンタクト１７の他方の端部は、折曲されていて下方に長く延びた端子部１７Ｃが形成されており、本発明のカードコネクタ１が取り付けられる外部の情報端末機器や電子機器等のプリント回路の端子と接続されるようになる。
【００３２】
さらに、下側カードコネクタ２の底部、すなわちコネクタ本体１１の底壁２４には、少なくとも１つ、図示の本実施例では２つ、のダボのような位置決め用の突起１９が設けられていて、情報端末機器や電子機器等の外部機器の取付部の対応する穴に差し込まれて、正確に位置決めして取り付けることが出来るようになっている。従って、下側カードコネクタ２の外部機器への取付けが簡単に、かつ正確に、しかも迅速に行うことができる。
【００３３】
また、下側カードコネクタ２や上側カードコネクタ３の内部には、必要に応じてカードを排出するためのイジェクタ機構や、或いは挿入されたカードを固持するためのロック機構を設けることが出来るし、さらに、カード認識コンタクトや、データの誤消去防止用のライトプロテクトコンタクト等を設けることができる。
【００３４】
さらにまた、これらカード認識コンタクトやライトプロテクトコンタクトに加えて、片持ちばね状のばね片部材が設けられており、カード挿入時の抜け落ち防止用のブレーキ片部材と、スイッチコンタクト等が設けことができると共に、基板に対して半田付けしてアースをとるようにアース用タブを設けることもできる。
【００３５】
このような本発明のカードコネクタ１において、下側カードコネクタ２と上側カードコネクタ３のコネクタ本体１１、１５と、設置脚台４の脚部７、８および台板９と、カバー部材１２、１６等は、適宜な合成樹脂材料などの絶縁材料によって成形して作られ、コネクタ本体１１、１５をカバー部材１２、１６と組合せることによって、支持台や偏平なケースとして形成されるものである。勿論、必要に応じては、設置脚台４の台板９や下側カードコネクタ２および上側カードコネクタ３のカバー部材１２、１６等を、合成樹脂などの絶縁材料の外に、他の適宜な材料で作ることもできる。
【００３６】
このように、上側カードコネクタ２と下側カードコネクタ３のコネクタ本体１１、１５とカバー部材１２、１６の使用材料は、要求に応じて適切に選択することができるものであり、合成樹脂材料の絶縁材料や、あるいは一部に金属板材料が好適に使用できるものである。
【００３７】
本発明のカードコネクタ１においては、第１のカードＡまたは第２のカードＢは、下側カードコネクタ２のカード挿入口５と上側カードコネクタ３のカード挿入口６とからそれぞれ挿入されて内部のカード装着部分に装着され、挿入された第１のカードＡまたは第２のカードＢの先端部に配列された接触パッド等のパッド部と接続されるように、コンタクト１４、１７とが所要の位置に、かつ所要の高さをもって整列して配置されている。
【００３８】
このようなコンタク１４、ト１７は、先端に円弧状に彎曲した接触片としての接触部１４Ａ、１７Ａが形成されている。そして、これら接触部１４Ａ、１７Ａが、カード挿入口５、６から挿入された第１のカードＡまたは第２のカードＢのパッド部と所要位置において弾性的に接触できるように形成されている。
【００３９】
なお、本実施例において、本発明のカードコネクタ１に用いられている第１および第２のカードＡ、Ｂは、例えば第１のカードＡとして「メモリスティック」（登録商標）が使用され、第２のカードＢとして「メモリスティックデュオ」（登録商標）が使用できるように適用されている。しかしながら、本発明は何等このようなカードだけの使用に制限されるものではなく、これらメモリスティック等の外に、ＳＤカードやＩＣカード、あるいはＳＩＭカード等の他の同様なメモリカードでも良好に適用できることは勿論である。
【００４０】
このように構成された本発明のカードコネクタ１において、取り付けられるべき外部機器や電子機器等の構成に基づいて、下側カードコネクタ２に対して上側カードコネクタ３が図１の第１の位置に設置される場合と、図２に示される第２の位置とに設置される場合とがある。
【００４１】
すなわち、第１位置は、下側カードコネクタ２のカード挿入口５に対して、上側カードコネクタ３のカード挿入口６が奥の方のずれた位置にあり、第２位置は、下側カードコネクタ２のカード挿入口５に対して、上側カードコネクタ３のカード挿入口６が前の方の近接した位置にある。
【００４２】
このように、下側カードコネクタ２に対して上側カードコネクタ３を第１位置および第２位置のいずれかに配置することが要求される場合に、好適に応答するように対応することが出来る。
【００４３】
上述するように、本発明のカードコネクタ１に従えば、特別な手段を設けることなく、橋形の脚付き設置脚台４を用いて、上側カードコネクタ３を、下側カードコネクタ２に対してスライド可能に移動できるように配置して、設置位置条件を多岐に亘って応答できるようにし、顧客の要求に応じて即座に対応することが出来るようにしている。
【００４４】
このように構成された本発明のカードコネクタ１において、大小の大きさの異なる、あるいは種類の異なる第１のカードＡと第２のカードＢとを実際に使用する場合が、図７と図８に示されている。
【００４５】
図７および図８は、本発明のカードコネクタに、第１のカードＡと第２のカードＢとを使用する場合を示す図で、図７は、カードを挿入した時の正面図、図８は、カードを挿入した時の図７に対する平面図である。
【００４６】
図示されるように、本発明のカードコネクタ１において、下側カードコネクタ２のカード挿入口５から第１のカードＡが挿入され、上側カードコネクタ３のカード挿入口６から第２のカードＢが挿入される。
【００４７】
このような第１のカードＡは、例えば、図示のように厚さが厚く、長さと幅等の外形寸法が大きなカードである。この第１のカードＡの場合に、幅は、本発明のカードコネクタ１の下側カードコネクタ２のカード挿入口５における両側壁２１、２２間の正常の幅にほぼ等しいか、僅かに小さい幅をなしている。従って、第１のカードＡが、図示されるように、カードコネクタ１の下側カードコネクタ２のカード挿入口５からカードコネクタ２内に挿入される時に、第１のカードＡが挿入でき、内部位置にスムーズに第１のカードＡが何等、当たることなく良好に挿入されるので、第１のカードＡは、カード挿入口５の側壁２１、２２間に保持されるようになる。
【００４８】
また、第１のカードＡは、この状態において、下側カードコネクタ２内に挿入されていて、第１のカードＡの先端部のパッド部がコンタクト１４の接触部１４Ａと接触されて接続されている。このような状態において、第１のカードＡは、下側カードコネクタ２内に保持されて良好に装着されており、自由に抜き出すことができる。また、このように、本発明のカードコネクタ１の下側カードコネクタ２内にしっかりと挿入された第１のカードＡは、コンタクト１４の接触部１４Ａが係合することによって、カード装着が行なわれるようになり、このようにして第１のカードＡを挿入して装着して、所期の目的となる使用が可能となる。
【００４９】
続いて、第１のカードＡを取り出すには、そのまま第１のカードＡの端をもって引き抜けば良く、これによって第１のカードＡをカードコネクタ１から好適に抜き出すことができるようになる。
【００５０】
本発明のカードコネクタ１に第２のカードＢを使用する場合には、図示されるように、本発明のカードコネクタ１の上側カードコネクタ３のカード挿入口６から第２のカードＢが挿入される。
【００５１】
この第２のカードＢは、図示のように厚さが薄く、長さも短く、かつ幅も小さい等の外形寸法が小さいカードである。この第２のカードＢの場合には、幅は、本発明のカードコネクタ１の上側カードコネクタ３のカード装着部６の側壁３１、３２間の幅に適合する大きさである。従って、第２のカードＢをカード挿入口６から上側カードコネクタ３内に挿入すれば、第２のカードＢの接触部が上側カードコネクタ３のコンタクト１７の接触部１７Ａに接触して接続されるようになる。
【００５２】
次いで、第２のカードＢを取り出すには、上述したように第２のカードＢを持って引き抜けば、第２のカードＢが取り出されるようになる。
【００５３】
このように、本発明のカードコネクタ１においては、１つのカードコネクタ１によって大きさや、種類等の異なる複数の種類の第１のカードＡと第２のカードＢとを、何の支障も無く、共通して使用することができ、それぞれ異なる方向を向いたカード挿入口５、６から第１のカードＡと第２のカードＢとをそれぞれ挿入することができる。
【００５４】
また、本発明によれば、カードコネクタ１自体を偏平で薄形のハウジング形状のケースとして製作することができ、携帯電話機やゲーム機、ノートパソコン、携帯型オーディオ、テレビ、ビデオ、デジタルカメラ、カラオケ用マイク等のような情報端末機器や各種の電子機器等に好適に使用することが可能である。
【００５５】
さらに、本発明のカードコネクタ１においては、設置脚台４を第１位置または第２位置のいずれかに移動して設置することによって、異なる位置に配置されているカード挿入口５、６に対応して第１のカードＡと第２のカードＢとの挿入が可能となり、設置位置条件を多岐に亘って応答できるようにして、顧客の要求に応じて即座に対応することが出来る。また、本発明のカードコネクタ１においては、同じ第１のカードＡ同士、または同じ第２のカードＢ同士、を使用することができると共に、上側カードコネクタ３に第１のカードＡを挿入し、下側カードコネクタ２に第２のカードＢを挿入することが可能であるように構成することもできる。
【００５６】
さらにまた、本発明のカードコネクタ１においては、第１のカードコネクタである上側のカードコネクタ３と、第２のカードコネクタである下側のカードコネクタ２とを、それぞれ複数個ずつ設けても良い。
【産業上の利用可能性】
【００５７】
本発明のカードコネクタは、携帯電話機、電話機、ＰＤＡ（personal  digital  assistance）、ゲーム機、ノートパソコン、携帯型オーディオ、テレビ、ビデオ、デジタルカメラ、カラオケ用マイク等や情報端末機器や各種の電子機器等に好適に用いることができる。
【図面の簡単な説明】
【００５８】
【図１】本発明のカードコネクタを、上側カードコネクタを第１の位置で示す斜視図である。
【図２】上側カードコネクタを第２の位置で示す図１と同様な斜視図である。
【図３】図２の平面図である。
【図４】図３に対する底面図である。
【図５】本発明のカードコネクタの正面図である。
【図６】図５に対する右側面図である。
【図７】カードを挿入した時の正面図である。
【図８】図７のカードを挿入した時の平面図である。
【符号の説明】
【００５９】
１          カードコネクタ
２          下側カードコネクタ
３          上側カードコネクタ
４          設置脚台
５          カード挿入口（下側）
６          カード挿入口（上側）
７          脚部
８          脚部
９          台板
１１        コネクタ本体
１２        カバー部材
１４        コンタクト
１５        コネクタ本体
１６        カバー部材
１７        コンタクト
１９        突起
２１        側壁
２２        側壁
２３        端壁
２４        底壁
３１        側壁
３２        側壁
３３        端壁
３４        底壁
【図１】
2005173943.tif 000003
【図２】
2005173943.tif 000004
【図３】
2005173943.tif 000005
【図４】
2005173943.tif 000006
【図５】
2005173943.tif 000007
【図６】
2005173943.tif 000008
【図７】
2005173943.tif 000009
【図８】
2005173943.tif 000010